(57)【要約】  【課題】  本発明は、複数種類の信号の通信を行う際、リアルタイム性のある信号の通信に用いる通信路として、エラーレートの小さい通信媒体による通信路が選択される通信システムを提供することを目的とする。  【解決手段】  送信装置１００と受信装置１０１ａとの間において、主通信路として同期データを送受信するために有線通信媒体５０ａが使用されるとともに、副通信路として非同期データを送受信するために無線通信媒体５１が使用されている。このとき、無線通信媒体５１の通信路状況が有線通信媒体５０ａよりも良好となったとき、無線通信媒体５１が主通信路として用いられるとともに有線通信媒体５０ａが副通信路として用いられるように、使用される通信路の切換が行われる。【選択図】      図１
2005184567.tif 000002
【特許請求の範囲】
【請求項１】
複数種類の通信媒体が通信路として使用可能であるとともに、２種類以上の複数種類のデータを受信装置との間で送受信する送信装置において、
前記受信装置と通信接続された前記通信媒体それぞれの通信状況を常に判定する通信状況判定部と、
前記通信路として使用する前記通信媒体が複数あるとき、前記通信媒体判定部で判定された当該複数の通信媒体それぞれの通信路状況に基づいて、その通信状況の良好な第１通信媒体を確認し、該第１通信媒体を前記複数種類のデータのうちの特定の第１データを送信する第１通信路に用いる通信媒体として切り換える通信路切換部と、
を備えることを特徴とする送信装置。
【請求項２】
前記通信路切換部において、前記第１通信媒体が、前記第１データを送信するのに十分な空き帯域を備えることを確認することを特徴とする請求項１に記載の送信装置。
【請求項３】
通信接続する前記受信装置との間の通信路が構築可能な通信媒体を格納する受信側通信路認識部を備え、
前記通信状況判定部において、前記受信側通信路認識部より確認される前記受信装置との間の通信路が構築可能な前記通信媒体それぞれに対してその通信状況を判定して、
前記通信路切換部において、前記通信状況判定部で判定された通信状況の判定結果より確認される前記第１通信媒体を前記第１通信路に用いるように通信媒体の切換動作を行うことを特徴とする請求項１又は請求項２に記載の送信装置。
【請求項４】
前記受信側通信路認識部より確認される前記受信装置との間の通信路が構築可能な前記通信媒体が複数であるとき、
前記通信路切換部によって前記第１通信媒体以外の前記通信媒体による前記第１通信路以外の通信路を構築して、構築した該通信路により前記第１データ以外のデータを送信することを特徴とする請求項３に記載の送信装置。
【請求項５】
前記受信側通信路認識部より確認される前記受信装置との間の通信路が構築可能な前記通信媒体が１つであるとき、
前記通信路切換部によって前記受信側通信路認識部より確認される前記受信装置との間の通信路が構築可能な前記通信媒体を前記第１通信媒体とするとともに、該第１通信媒体によって構築する通信路により前記第１データを含む前記複数種類のデータを送信することを特徴とする請求項３又は請求項４に記載の送信装置。
【請求項６】
前記通信媒体切換部において、前記通信状況判定部の判定結果より、前記第１通信媒体の通信状況が悪化したことを確認するとともに、前記受信側通信路認識部より確認される前記受信装置との間の通信路が構築可能な前記通信媒体のうちの前記第１通信媒体以外の他の通信媒体の通信状況が良好であることを確認したとき、当該他の通信媒体を前記第１通信媒体として前記第１通信路に使用するように切り換えることを特徴とする請求項３〜請求項５のいずれかに記載の送信装置。
【請求項７】
前記通信媒体切換部において、前記第１通信媒体の前記受信装置における通信接続が切断されたことを確認するととともに、前記受信側通信路認識部より確認される前記受信装置との間の通信路が構築可能な前記通信媒体のうちの前記第１通信媒体以外の他の通信媒体を確認したとき、当該他の通信媒体から前記第１通信媒体を選択して前記第１通信路に使用するように切り換えることを特徴とする請求項３〜請求項６のいずれかに記載の送信装置。
【請求項８】
無線通信媒体となる前記通信媒体の通信状況の前記通信状況判定部における判定結果に基づいて、該無線通信媒体による通信路によって送信される前記データの送信電力強度又は送信レートのうちの少なくとも一方を変化させることを特徴とする請求項１〜請求項７のいずれかに記載の送信装置。
【請求項９】
前記通信媒体の通信状況の前記通信状況判定部における判定結果に基づいて、該通信媒体によって送信される前記データのデータ圧縮率を変化させることを特徴とする請求項１〜請求項８のいずれかに記載の送信装置。
【請求項１０】
前記第１データを送信するのに十分な空き帯域を備える前記通信媒体が存在しないことを前記通信媒体切換部において確認したとき、前記第１データの送信が不可能であることを前記受信装置に通知することを特徴とする請求項１〜請求項９のいずれかに記載の送信装置。
【請求項１１】
前記通信状況判定部が、前記通信媒体それぞれのエラーレートを測定することを特徴とする請求項１〜請求項１０のいずれかに記載の送信装置。
【請求項１２】
前記通信状況判定部が、前記通信媒体それぞれを介して受信したときの受信電力強度を測定することを特徴とする請求項１〜請求項１１のいずれかに記載の送信装置。
【請求項１３】
前記通信状況判定部が、前記受信装置による前記通信媒体それぞれの通信状況の判定結果を前記受信装置から受信して、前記通信媒体それぞれの通信状況の判定を行うことを特徴とする請求項１〜請求項１２のいずれかに記載の送信装置。
【請求項１４】
前記第１データが時系列的に送信する必要があるデータであることを特徴とする請求項１〜請求項１３のいずれかに記載の送信装置。
【請求項１５】
前記第１データの送信が終了したことを確認したとき、当該第１データの送信が終了した前記受信装置に対する前記第１通信媒体による前記第１通信路を開放することを特徴とする請求項１〜請求項１４のいずれかに記載の送信装置。
【請求項１６】
複数種類の通信媒体が通信路として使用可能であるとともに、２種類以上の複数種類のデータを受信する受信装置において、
請求項１〜請求項１５のいずれかに記載の送信装置と通信接続を行うことを特徴とする受信装置。
【請求項１７】
複数種類の通信媒体が通信路として使用可能であるとともに、２種類以上の複数種類のデータを受信する受信装置において、
請求項１３に記載の送信装置と通信接続を行うとともに、
前記送信装置と通信接続された前記通信媒体それぞれの通信状況を常に判定する通信状況判定部を備え、
該通信状況判定部で判定した前記通信媒体の通信状況を前記送信装置に通知することを特徴とする受信装置。
【請求項１８】
前記通信状況判定部が、前記通信媒体それぞれのエラーレートを測定することを特徴とする請求項１７に記載の受信装置。
【請求項１９】
前記通信状況判定部が、前記通信媒体それぞれを介して受信したときの受信電力強度を測定することを特徴とする請求項１８に記載の受信装置。
【請求項２０】
前記送信装置との通信路が構築可能な前記通信媒体を認識する通信路認識部を備えることを特徴とする請求項１６〜請求項１９のいずれかに記載の受信装置。
【請求項２１】
請求項１〜請求項１５のいずれかに記載の送信装置と、請求項１６〜請求項２０のいずれかに記載の受信装置とによって構成されることを特徴とする通信システム。
【請求項２２】
複数種類の通信媒体が通信路として使用可能であるとともに２種類以上の複数種類のデータの送受信が行われる通信システムにおける通信用プログラムにおいて、
前記通信システムにおける通信路として構築可能な前記通信媒体それぞれの通信状況を判定する通信状況判定ステップと、
該通信状況判定ステップにおける判定結果に基づいて、前記複数種類のデータのうちの特定の第１データを送信する第１通信路を構築する第１通信媒体として、前記通信状況判定ステップで通信状況が良好であると判定された通信媒体に切り換える通信路切換ステップと、
備え、
常に、通信状況が良好な通信媒体によって構築される前記第１通信路により前記第１データを送信することを特徴とする通信用プログラム。
【請求項２３】
前記通信路切換ステップにおいて、前記第１通信媒体が前記第１データを送信するのに十分な空き帯域を備えることが確認されることを特徴とする請求項２２に記載の通信用プログラム。
【請求項２４】
前記通信路が構築可能な通信媒体を確認する通信路認識ステップを備えることを特徴とする請求項２２又は請求項２３に記載の通信用プログラム。
【請求項２５】
前記通信路切換ステップにおいて、前記第１通信路として使用される前記第１通信媒体の通信状況が悪化したときに、前記第１通信路に使用する前記通信媒体の切換を行うことを特徴とする請求項２２〜請求項２４のいずれかに記載の通信用プログラム。
【発明の詳細な説明】
【技術分野】
【０００１】
本発明は、複数の異なる通信路による通信システム及び送信装置及び受信装置に関するもので、特に、複数種類の異なるデータを送受信する通信システム及び通信用プログラム及び送信装置及び受信装置に関する
【背景技術】
【０００２】
近年、通信技術の発展により、軸ケーブルやツイストペア線や光ファイバを用いた有線通信システムに加えて、Bluetoothや無線ＬＡＮ（Local Area Network）や赤外線通信やミリ波通信による無線通信システムが提供されている。この無線通信システムは、ＬＡＮ構築時における煩雑さの解消や離れた位置に設置されたＡＶソースと再生装置との間の通信接続を行うことを目的として使用されている。又、有線通信システムにおいては、既存の電力線を用いた電力線通信システムが提案されている。
【０００３】
しかしながら、無線通信システムにおいては、その伝送距離が長くなると、マルチパスフェージングの影響を受けやすくＳＮ比が悪化する。又、電力線通信システムにおいては、電力線より電力供給される家電製品からのノイズの影響を受けやすい。映像信号などのように高品質及びリアルタイム性が求められる同期データにおいては、これらのノイズの影響を受けた同期データを受信側が受信すると、再生された映像や音声が途切れる。よって、ノイズの影響を低減させるために、複数の通信路を用いた通信システムが提案されている。
【０００４】
このような通信システムの１つとして、放送や通信やパッケージなどの各種メディアから得られたデータが送信される下り回線と、装置を制御するコマンドデータが送信される上り回線とを備えた通信路により構築される家庭内ＡＶ−ＬＡＮが提案されている（特許文献１参照）。この特許文献１の家庭内ＡＶ−ＬＡＮにおいては、情報コンセントと表示部との間の通信路として下り回線及びの上り回線それぞれに無線ＬＡＮ及びＬＡＮケーブルを用いるものや、メディアターミナルと表示部との間の通信路として下り回線及び上り回線それぞれにＬＡＮケーブル及び電力線を用いるものが、提案されている。
【０００５】
又、別の通信システムとして、映像信号を伝送するための主通信路を有指向性の通信媒体による高レートの通信路とするとともに、制御データを送受信するための副通信路を無指向性の通信媒体による低レートの通信路とする画像表示装置が提案されている（特許文献２参照）。この画像表示装置においては、送信側に受信側に表示された所定のテストパターンを受光する映像信号受光部が設けられ、この映像信号受信部の受信状態によって主通信路の指向性が判断され、送信側より受信側に対して、主通信路の指向性を調整するための制御データが副通信路を介して送信される。
【特許文献１】特開平１０−１１２７２４号公報
【特許文献２】特開２００３−１６３８４６号公報
【発明の開示】
【発明が解決しようとする課題】
【０００６】
特許文献１の家庭内ＡＶ−ＬＡＮでは、利便性及び拡張性の高いシステムを構成することができるが、下り回線及び上り回線それぞれに使用される通信路が固定されているため、下り回線に用いる通信路においてエラーが頻発すると、下り回線により伝送される映像信号などのデータ情報に多くのノイズが含まれることとなる。結果的に、再生される映像及び音声に乱れが生じてしまうので、エラーの少ない通信路を下り回線を用いるように予め設定する必要がある。しかしながら、無線通信路のように、通信路に人や機器などの遮蔽物が通過するなどといった環境の変化により通信路の状態が変化することがある。よって、設定時においてはエラーの少ない良好な通信路であっても、使用途中にエラーが頻発し、受信端末となる表示部における受信状態が悪化することがある。
【０００７】
又、特許文献２の画像表示装置においても、指向性の調整可能な範囲においては、送信側と受信側の主通信路の指向性を調整することができるが、この主通信路に遮蔽物が存在するときのように指向性の調整不可能な場合は、主通信路を用いた通信が不可能となる。この主通信路については固定された通信媒体によるものであるため、特許文献１の家庭内ＡＶ−ＬＡＮと同様、通信路に遮蔽物が通過したときなど、主通信路にエラーが頻発した場合には、受信側による受信状態が悪化する。
【０００８】
このような問題を鑑みて、本発明は、複数種類の信号の通信を行う際、リアルタイム性のある信号の通信に用いる通信路として、エラーレートの小さい通信媒体による通信路が選択される通信システム及び送信装置及び受信装置及び通信用プログラムを提供することを目的とする。
【課題を解決するための手段】
【０００９】
上記目的を達成するために、本発明の送信装置は、複数種類の通信媒体が通信路として使用可能であるとともに、２種類以上の複数種類のデータを受信装置との間で送受信する送信装置において、前記受信装置と通信接続された前記通信媒体それぞれの通信状況を常に判定する通信状況判定部と、前記通信路として使用する前記通信媒体が複数あるとき、前記通信媒体判定部で判定された当該複数の通信媒体それぞれの通信路状況に基づいて、その通信状況の良好な第１通信媒体を確認し、該第１通信媒体を前記複数種類のデータのうちの特定の第１データを送信する第１通信路に用いる通信媒体として切り換える通信路切換部と、を備えることを特徴とする。
【００１０】
このような送信装置において、同期データ及び非同期データなどの複数種類のデータを送受信するとき、通信を行う前記受信装置に対して複数の前記通信媒体を用いて複数の前記通信路が構築可能であるとき、前記第１通信媒体としてその通信状況が良好な前記通信媒体に切り換えて、前記第１通信路が常にその通信状況が良好な状態とすることができる。このとき、前記通信路切換部において、前記第１通信媒体が、前記第１データを送信するのに十分な空き帯域を備えることが確認される。
【００１１】
又、通信接続する前記受信装置との間の通信路が構築可能な通信媒体を格納する受信側通信路認識部を備え、前記通信状況判定部において、前記受信側通信路認識部より確認される前記受信装置との間の通信路が構築可能な前記通信媒体それぞれに対してその通信状況を判定して、前記通信路切換部において、前記通信状況判定部で判定された通信状況の判定結果より確認される前記第１通信媒体を前記第１通信路に用いるように通信媒体の切換動作を行うものとしても構わない。
【００１２】
このようにすることで、送信装置が接続可能な複数の前記受信装置それぞれに対して、前記各受信装置毎に前記通信路が構築可能な前記通信媒体を、前記受信側通信路認識部より確認することができる。
【００１３】
又、前記受信側通信路認識部より確認される前記受信装置との間の通信路が構築可能な前記通信媒体が複数であるとき、前記通信路切換部によって前記第１通信媒体以外の前記通信媒体による前記第１通信路以外の通信路を構築して、構築した該通信路により前記第１データ以外のデータを送信するものとし、又、前記受信側通信路認識部より確認される前記受信装置との間の通信路が構築可能な前記通信媒体が１つであるとき、前記通信路切換部によって前記受信側通信路認識部より確認される前記受信装置との間の通信路が構築可能な前記通信媒体を前記第１通信媒体とするとともに、該第１通信媒体によって構築する通信路により前記第１データを含む前記複数種類のデータを送信するものとする。
【００１４】
又、前記通信媒体切換部において、前記通信状況判定部の判定結果より、前記第１通信媒体の通信状況が悪化したことを確認するとともに、前記受信側通信路認識部より確認される前記受信装置との間の通信路が構築可能な前記通信媒体のうちの前記第１通信媒体以外の他の通信媒体の通信状況が良好であることを確認したとき、当該他の通信媒体を前記第１通信媒体として前記第１通信路に使用するように切り換えるものとしても構わない。
【００１５】
更に、前記通信媒体切換部において、前記第１通信媒体の前記受信装置における通信接続が切断されたことを確認するととともに、前記受信側通信路認識部より確認される前記受信装置との間の通信路が構築可能な前記通信媒体のうちの前記第１通信媒体以外の他の通信媒体を確認したとき、当該他の通信媒体から前記第１通信媒体を選択して前記第１通信路に使用するように切り換えるものとしても構わない。
【００１６】
又、無線通信媒体となる前記通信媒体の通信状況の前記通信状況判定部における判定結果に基づいて、該無線通信媒体による通信路によって送信される前記データの送信電力強度又は送信レートのうちの少なくとも一方を変化させることによって、前記通信路の通信状況を良好なものに制御するものとしても構わない。更に、前記通信媒体の通信状況の前記通信状況判定部における判定結果に基づいて、該通信媒体によって送信される前記データのデータ圧縮率を変化させることによって、前記通信路の通信状況を良好なものに制御するものとしても構わない。このとき、圧縮方式を切り換えることによって前記圧縮率を変化させるものとしても構わない。
【００１７】
又、前記第１データを送信するのに十分な空き帯域を備える前記通信媒体が存在しないことを前記通信媒体切換部において確認したとき、前記第１データの送信が不可能であることを前記受信装置に通知するものとしても構わない。
【００１８】
又、前記通信状況判定部が、前記通信媒体それぞれのエラーレート又は前記通信媒体それぞれを介して受信したときの受信電力強度の少なくとも一方を測定するものとしても構わない。更に、前記通信状況判定部が、前記受信装置による前記通信媒体それぞれの通信状況の判定結果を前記受信装置から受信して、前記通信媒体それぞれの通信状況の判定を行うものとしても構わない。このとき、前記受信装置において、前記通信媒体それぞれのエラーレート又は前記通信媒体それぞれを介して受信したときの受信電力強度の少なくとも一方を測定するものとしても構わない。又、エラーレートが前記受信装置からの受信確認信号や再送要求信号に基づいて測定されるものとしても構わない。
【００１９】
又、前記第１データが時系列的に送信する必要があるデータであり、リアルタイム伝送が必要な同期データであっても構わない。
【００２０】
更に、前記第１データの送信が終了したことを確認したとき、当該第１データの送信が終了した前記受信装置に対する前記第１通信媒体による前記第１通信路を開放するものとして、前記通信媒体の空き帯域を確保するものとしても構わない。このようにすることで、前記第１データの受信又は前記第１データの送信要求を行った前記受信装置が、前記第１データの通信のための前記第１通信媒体を優先的に使用することができる。
【００２１】
本発明の受信装置は、複数種類の通信媒体が通信路として使用可能であるとともに、２種類以上の複数種類のデータを受信する受信装置において、上述のいずれかの送信装置と通信接続を行うことを特徴とする。
【００２２】
又、本発明の受信装置は、複数種類の通信媒体が通信路として使用可能であるとともに、２種類以上の複数種類のデータを受信する受信装置において、前記送信装置と通信接続された前記通信媒体それぞれの通信状況を常に判定する通信状況判定部を備え、該通信状況判定部で判定した前記通信媒体の通信状況を前記送信装置に通知することを特徴とする。このとき、前記通信媒体それぞれのエラーレート又は前記通信媒体それぞれを介して受信したときの受信電力強度の少なくとも一方を測定するものとしても構わない。
【００２３】
又、上述の各受信装置において、前記送信装置との通信路が構築可能な前記通信媒体を認識する通信路認識部を備えるものとしても構わない。このとき、前記送信装置との通信路が構築可能な前記通信媒体を前記通信路認識部で認識すると、認識した通信路が構築可能な前記通信媒体を前記送信装置に通知することができる。
【００２４】
又、本発明の通信システムは、上述のいずれかの送信装置と上述のいずれかの受信装置によって構築される。
【００２５】
このような通信システムの通信用プログラムとして、本発明の通信用プログラムは、複数種類の通信媒体が通信路として使用可能であるとともに２種類以上の複数種類のデータの送受信が行われる通信システムにおける通信用プログラムにおいて、前記通信システムにおける通信路として構築可能な前記通信媒体それぞれの通信状況を判定する通信状況判定ステップと、該通信状況判定ステップにおける判定結果に基づいて、前記複数種類のデータのうちの特定の第１データを送信する第１通信路を構築する第１通信媒体として、前記通信状況判定ステップで通信状況が良好であると判定された通信媒体に切り換える通信路切換ステップと、備え、常に、通信状況が良好な通信媒体によって構築される前記第１通信路により前記第１データを送信することを特徴とする。
【００２６】
このとき、前記通信路切換ステップにおいて、前記第１通信媒体が前記第１データを送信するのに十分な空き帯域を備えることが確認されるものとしても構わない。又、前記通信路が構築可能な通信媒体を確認する通信路認識ステップを備えるものとしても構わない。又、前記通信路切換ステップにおいて、前記第１通信路として使用される前記第１通信媒体の通信状況が悪化したときに、前記第１通信路に使用する前記通信媒体の切換を行うものとしても構わない。
【発明の効果】
【００２７】
本発明によると、第１通信路として使用する第１通信媒体として、通信状況が良好な通信媒体を切り換えることができるため、第１通信路を通信状況が良好な通信媒体による通信路として常に確保することができる。よって、第１通信路を、リアルタイム伝送が必要な映像や音声などの同期データそ送信するための通信路としたとき、その通信状況を良好なものに通信媒体を切り換えて使用できることから、データにより再生される映像や音声に乱れや途切れが生じる割合を低減させることができる。又、受信装置の使用する通信路に応じて最適な通信路を選択することができるため、送信装置や受信装置の特性に応じて最適な制御を行うことができる。
【００２８】
更に、通信路を構成する通信媒体のエラーレートや受信電力に基づいて、通信状況を確認するとともに、確認した通信状況に応じて送信電力強度や送信レートや圧縮率を変化させることができる。よって、通信状況が良好なときは、圧縮率を低くするとともに送信レートを大きくし、又、送信電力強度を小さくして、データ量が多く低消費電力となるデータを送信することができる。又、通信状況が悪化したときは、圧縮率を高くするとともに送信レートを小さくし、又、送信電力強度を大きくして、データ再生時の途切れや乱れをできる限り低減することができる。
【発明を実施するための最良の形態】
【００２９】
本発明の実施の形態について、図面を参照して以下に説明する。図１は、本実施形態における通信システムの構成例を示すブロック図である。図２は、図１の通信システムにおける送信装置の内部構成を示すブロック図である。尚、説明を簡単にするために、本実施形態の通信システムにおいて、送信装置及び受信装置間の通信を行う際の通信路を構成する通信媒体として、１種類の無線通信媒体と２種類の有線通信媒体が用いられるものとする。
【００３０】
図１の通信システムは、ＡＶソース１０２から与えられるリアルタイム伝送が必要な映像や音声などの同期データを送信する送信装置１００と、送信装置１００から送信される同期データを受信する受信装置１０１ａ〜１０１ｆとによって構成される。又、ＡＶソース１０２は、ＤＶＤやビデオーテープやＣＤやハードディスクなどの記録媒体から同期データを読み出す記録媒体再生装置や、デジタル放送や衛星放送や地上波放送などの同期データを含む放送信号を受信するチューナ装置などである。又、送信装置１００は、インターネット１０４と接続され、ホームページ閲覧のためのデータを受信する。更に、受信装置１０１ａ〜１０１ｆが、受信した同期データをディスプレイやスピーカを備えた再生装置１０３ａ〜１０３ｆに送信することで、再生装置１０３ａ〜１０３ｆが同期データに基づいて映像及び音声を再生出力する。このとき、送信装置１００及び受信装置１０１ａ〜１０１ｆ間において双方向通信が行われて制御データなどの非同期データが送受信される。
【００３１】
このような通信システムにおいて、受信装置１０１ａ〜１０１ｃが有線通信媒体５０ａで送信装置１００と通信接続され、又、受信装置１０１ｃ〜１０１ｅが有線通信媒体５０ｂで送信装置１００と通信接続され、又、受信装置１０１ａ，１０１ｃ，１０１ｅ，１０１ｆが無線通信媒体５１で送信装置１００と通信接続される。尚、有線通信媒体５０ａ，５０ｂとして、同軸ケーブルやツイストペア線や光ファイバや電力線などのうちの異なる２種類の通信媒体が使用されるとともに、無線通信媒体５１として、２．４ＧＨｚ帯無線や５ＧＨｚ帯無線や赤外線やミリ波帯無線などのうちの１種類の通信媒体が使用されるものとする。又、同期データの送受信に使用される通信路を主通信路とし、非同期データの送受信に使用される通信路を副通信路とする。
【００３２】
（送信装置）
この図１の通信システムにおける送信装置１００について、図面を参照して以下に説明する。送信装置１００は、図２に示すように、有線通信媒体５０ａ，５０ｂ及び無線通信媒体５１の通信路状況が確認される通信路状況判定部１と、通信路状況判定部１による判定結果に従って各受信装置１０１（受信装置１０１ａ〜１０１ｆに相当する）それぞれに使用する主通信路及び副通信路の切換を行う通信路切換部２と、ＡＶソース１０２やインターネット１０４から受信するデータの種類を識別するデータ識別部３と、有線通信媒体５０ａ，５０ｂそれぞれによる同期データ又は非同期データの送受信を行う有線送受信部４ａ，４ｂと、無線通信媒体５１による同期データ又は非同期データの送受信を行う無線送受信部４ｃと、有線送受信部４ａ，４ｂそれぞれの送受信動作の制御を行う有線制御部５ａ，５ｂと、無線送受信部４ｃの送受信動作の制御を行う無線制御部５ｃと、を備える。
【００３３】
このとき、有線送受信部４ａ，４ｂ及び無線送受信部４ｃによって、ＡＶデータなどの同期データやホームページなどの非同期データが送信されるとともに、ＡＶソース１０２の動作を制御するための制御データや受信装置１０１により再送要求されるデータを示す再送要求データや有線通信媒体５０ａ，５０ｂ及び無線通信媒体５１それぞれによる通信路の状態を示す通信路データなどの非同期データが受信される。又、有線制御部５ａ，５ｂ及び無線制御部５ｃは、通信路切換部２より与えられる受信装置１０１へ送信するデータに対して暗号化処理及び誤り訂正符号化処理及び誤り検出符号化処理などの符号化処理を施すとともに、有線送受信部４ａ，４ｂ及び無線送受信部４ｃそれぞれから与えられる受信装置１０１より送信されたデータに対して暗号化解除処理及び誤り訂正処理及び誤り検出処理などの復号化処理を施す。
【００３４】
又、通信路状況判定部１は、図３に示すように、有線送受信部４ａ，４ｂ及び無線送受信部４ｃで受信したデータそれぞれに対する有線制御部５ａ，５ｂ及び無線制御部５ｃでの復号結果に基づいて有線通信媒体５０ａ，５０ｂ及び無線通信媒体５１それぞれのエラーレートを測定するエラーレート測定部１１と、有線送受信部４ａ，４ｂ及び無線送受信部４ｃにおける受信強度を測定する受信レベル測定部１２と、受信装置１０１での有線通信媒体５０ａ，５０ｂ及び無線通信媒体５１それぞれのエラーレート及び受信電力強度に対する測定結果を確認する他局通信路測定結果確認部１３と、を備える。
【００３５】
このような構成となる通信路状況判定部１では、エラーレート測定部１１において、有線制御部５ａにおいて有線送受信部４ａで受信されたデータに対して誤り訂正処理又は誤り検出処理などの復号化処理結果に基づいて有線通信媒体５０ａのエラーレートが、有線制御部５ｂにおいて有線送受信部４ｂで受信されたデータに対して誤り訂正処理又は誤り検出処理などの復号化処理結果に基づいて有線通信媒体５０ｂのエラーレートが、無線制御部５ｃにおいて無線送受信部４ｃで受信されたデータに対して誤り訂正処理又は誤り検出処理などの復号化処理結果に基づいて無線通信媒体５１のエラーレートが、それぞれ測定される。
【００３６】
又、他局通信路測定結果確認部１３は、受信装置１０１において送信装置１００のエラーレート測定部１１及び受信レベル測定部１２と同様にして接続可能な有線通信媒体５０ａ，５０ｂ及び無線通信媒体５１に対して測定されたエラーレート及び受信電力強度を表す非同期データである通信路データが、有線制御部５ａ，５ｂ及び無線制御部５ｃより与えられる。即ち、他局通信路測定結果確認部１３では、有線通信媒体５０ａに対する通信路データが有線制御部５ａより与えられると、受信装置１０１で測定された有線通信媒体５０ａのエラーレート及び受信電力強度が確認され、有線通信媒体５０ｂに対する通信路データが有線制御部５ｂより与えられると、受信装置１０１で測定された有線通信媒体５０ｂのエラーレート及び受信電力強度が確認され、無線通信媒体５１に対する通信路データが無線制御部５ｃより与えられると、受信装置１０１で測定された無線通信媒体５１のエラーレート及び受信電力強度が確認される。
【００３７】
又、通信路切換部２は、図４に示すように、送信又は再送すべきデータの確認を行う送信データ制御部２１と、有線制御部５ａ，５ｂ及び無線制御部５ｃで復号化されたデータが与えられてデータの選択を行う受信データ制御部２２と、各受信装置１０１毎に主通信路及び副通信路として使用する通信媒体を設定する通信路管理部２３と、各受信装置１０１の使用可能な通信路を認識して記憶する受信側通信路認識部２４と、を備える。
【００３８】
このような構成となる通信路切換部２では、送信データ制御部２１において、データ識別部３より与えられる同期データ及び非同期データそれぞれについて、いずれの受信装置１０１に送信するデータであるかヘッダ情報から確認するとともに、受信データ制御部２２で確認された再送要求データによって、いずれの受信装置１０１から同期データ及び非同期データの再送要求が成されたかを確認する。そして、通信路管理部２３で各受信装置１０１毎に設定された主通信路及び副通信路それぞれに、送信及び再送が確認された同期データ及び非同期データそれぞれを送信するように、設定された主通信路及び副通信路それぞれに応じた有線制御部５ａ，５ｂ及び無線制御部５ｃに送出する。よって、例えば、通信路管理部２３において無線通信媒体５１を主通信路として使用するとともに有線通信媒体５０ａを副通信路として使用するように設定された受信装置に対する同期データ及び非同期データが送信データ制御部２１で確認されると、同期データが無線制御部５ｃに与えられるとともに非同期データが有線制御部５ａに与えられる。
【００３９】
又、受信データ制御部２２において、有線制御部５ａ，５ｂ及び無線制御部５ｃで復号化された非同期データより再送要求データを確認すると、確認した再送要求データを送信データ制御部２１に与える。又、この受信データ制御部２２において、有線制御部５ａ，５ｂ及び無線制御部５ｃで復号化された非同期データよりＡＶソース１０２を制御するための制御データや閲覧するホームページのＵＲＬ（Uniform Resource Locator）を示す制御データを確認したとき、ＡＶソース１０２を制御するための制御データをＡＶソース１０２に送出し、又、ＵＲＬを示す制御データをインターネット１０４に送信する。
【００４０】
更に、この受信データ制御部２２において、有線制御部５ａ，５ｂ及び無線制御部５ｃで復号化された非同期データより接続要求を行う制御データを確認したとき、この制御データのヘッダ情報より送信した受信装置１０１を確認することで、この制御データが送信された通信媒体を、受信装置１０１が使用する通信媒体として、受信装置通信路認識部２４に格納する。
【００４１】
即ち、例えば、図１の受信装置１０１ｃのように有線通信媒体５０ａ，５０ｂ及び無線通信媒体５１が使用可能である場合、受信装置１０１ｃより有線通信媒体５０ａ，５０ｂ及び無線通信媒体５１それぞれを介して送信される接続要求のための制御データを含む非同期データを有線送受信部４ａ，４ｂ及び無線送受信部４ｃで受信する。これらの非同期データが有線制御部５ａ，５ｂ及び無線制御部５ｃで復号化されて受信データ制御部２２に与えられると、受信装置１０１ｃが有線通信媒体５０ａ，５０ｂ及び無線通信媒体５１が使用可能であることを確認し、有線通信媒体５０ａ，５０ｂ及び無線通信媒体５１を使用可能な通信媒体として受信側通信路認識部２４に格納する。
【００４２】
又、通信路管理部２３では、受信側通信路認識部２４において格納された各受信装置１０１毎の使用可能な通信媒体を確認する。又、この通信路管理部２３において、通信路状況判定部１より与えられるエラーレート測定部１１及び受信レベル測定部１２それぞれで測定された有線通信媒体５０ａ，５０ｂ及び無線通信媒体５１それぞれのエラーレート及び受信電力強度と受信装置１０１で測定された有線通信媒体５０ａ，５０ｂ及び無線通信媒体５１それぞれのエラーレート及び受信電力強度とを確認する。又、現在の有線通信媒体５０ａ，５０ｂ及び無線通信媒体５１それぞれが使用する帯域の空き帯域幅を確認する。
【００４３】
そして、確認した各受信装置１０１毎の使用可能な通信媒体と有線通信媒体５０ａ，５０ｂ及び無線通信媒体５１それぞれのエラーレート及び受信電力強度及び空き帯域幅とに基づいて、各受信装置１０１毎に、主通信路及び副通信路それぞれに対して現在使用している通信媒体が最適であるか否かを判定する。この判定方法については、後述する。そして、判定結果により、各受信装置１０１毎に、主通信路及び副通信路それぞれに対して使用する通信媒体の選択を行うか、又は、送信電力強度の制御や無線物理レートの制御や同期データの圧縮率の制御を行う。
【００４４】
又、受信側通信路認識部２４では、各受信装置１０１から送信される接続要求のための制御データによって受信データ制御部２２で確認された使用可能な通信媒体を、各受信装置１０１毎に記憶する。即ち、図１のような通信システムが構築され、送信装置１００が受信装置１０１ａ〜１０１ｆと通信接続されている場合、受信装置１０１ａに対して有線通信媒体５０ａが、受信装置１０１ｂに対して有線通信媒体５０ａが、受信装置１０１ｃに対して有線通信媒体５０ａ，５０ｂ及び無線通信媒体５１が、受信装置１０１ｄに対して有線通信媒体５０ａ，５０ｂが、受信装置１０１ｅに対して有線通信媒体５０ｂ及び無線通信媒体５１が、受信装置１０１ｆに対して無線通信媒体５１が、それぞれ使用可能な通信媒体として受信側通信路認識部２４に記憶される。
【００４５】
又、データ識別部３は、図５に示すように、インターネット１０４より受信したデータが同期データ又は非同期データのいずれであるか識別するデータ判定部３１と、ＡＶソース１０２より受信した同期データ及びデータ判定部３１で確認された同期データを圧縮する圧縮部３２と、通信路切換部２の通信路管理部２３で設定された同期データの圧縮率が各受信装置毎に与えられて圧縮部３２でのデータ圧縮動作時の圧縮率設定を行う圧縮率制御部３３と、圧縮部３２で圧縮符号化された同期データ及びデータ判定部３１で確認された非同期データをパケット化するパケット生成部３４と、パケット生成部３４で生成されたパケットに対して同期データ及び非同期データを識別させるための属性を付加する属性付加部３５と、属性付加部３５で属性付加された同期データ及び非同期データとなるパケットを一時的に格納するバッファ３６と、によって構成される。
【００４６】
このような構成となるデータ認識部３では、データ判定部３１において、インターネット１０４より受信したデータのヘッダ情報より、受信したデータが同期データ又は非同期データのいずれであるかを確認し、同期データである場合は圧縮部３２に送出し、又、非同期データである場合はパケット生成部３４に送出する。
【００４７】
又、圧縮部３２では、与えられた同期データの送信元となるＡＶソース１０２又はヘッダ情報に基づいて、いずれの受信装置１０１に送信する同期データであるか確認する。そして、確認された受信装置１０１に対して設定された圧縮率を圧縮率制御部３３を通じて認識し、その圧縮率に応じた圧縮を施す。このとき、例えば、ＭＰＥＧ（Moving Picture Experts Group）１、ＭＰＥＧ２、ＭＰＥＧ４、ＪＰＥＧ（Joint Photograph Experts Group）などの圧縮方式を変更して圧縮率変更を行う。又、この圧縮した同期データのヘッダ情報に、送信元がＡＶソース１０２である場合、その送信元となるＡＶソース１０２を表す情報を付加する。
【００４８】
又、パケット生成部３４において、同期データ及び非同期データをパケット化する際、同期データに対してタイムスタンプを付加する。更に、属性付加部３５では、パケット生成部３４で生成されたパケットそれぞれに対して同期データであることを示す属性情報又は非同期データであることを示す属性情報を付加する。尚、パケット生成部３４及び属性付加部３５及びバッファ３６それぞれでは、同期データ及び非同期データそれぞれに対してブロックが構成され、同期データ及び非同期データを別に処理する。
【００４９】
（受信装置）
次に、図１の通信システムにおける通信媒体のエラーレートや受信電力強度の測定可能な受信装置について、図面を参照して以下に説明する。尚、受信装置１０１ｃが通信媒体のエラーレートや受信電力強度の測定可能な受信装置であり、この受信装置１０１ｃを代表として以下に図面を参照して説明する。
【００５０】
受信装置１０１ｃは、図６に示すように、有線通信媒体５０ａ，５０ｂ及び無線通信媒体５１の通信路状況が確認される通信路状況判定部６０と、有線通信媒体５０ａ，５０ｂそれぞれによる同期データ又は非同期データの送受信を行う有線送受信部６１ａ，６１ｂと、無線通信媒体５１による同期データ又は非同期データの送受信を行う無線送受信部６１ｃと、有線送受信部６１ａ，６１ｂそれぞれの送受信動作の制御を行う有線制御部６２ａ，６２ｂと、無線送受信部６１ｃの送受信動作の制御を行う無線制御部６２ｃと、有線制御部６２ａ，６２ｂ及び無線制御部６２ｃそれぞれから受信されたデータが同期データであるか非同期データであるか確認するデータ変換部６３と、データ変換部６３から与えられる同期データを一時的に格納するバッファ６４ａと、送信装置１００に送信する非同期データを一時的に送信するバッファ６４ｂと、バッファ６４ａより同期データを読み出してデータ伸長処理を施す伸長部６５と、再生装置１０３や不図示のリモートコントローラなどから制御データとなる非同期データが与えられてパケット化してバッファ６４ｂに送出するパケット生成部６６と、を備える。
【００５１】
このとき、有線送受信部６１ａ，６１ｂ及び無線送受信部６１ｃによって、送信装置１００から送信される同期データや非同期データが受信されるとともに、制御データや再送要求データや通信路データなどの非同期データが送信される。又、有線制御部６２ａ，６２ｂ及び無線制御部６２ｃは、送信装置１００の有線制御部５ａ，５ｂ及び無線制御部５ｃと同様、送信装置１００へ送信するデータに対して暗号化処理及び誤り訂正符号化処理及び誤り検出符号化処理などの符号化処理を施すとともに、送信装置１００より送信されたデータに対して暗号化解除処理及び誤り訂正処理及び誤り検出処理などの復号化処理を施す。
【００５２】
又、伸長部６５は、再生時刻となったバッファ６４ａ内に一時的に格納された同期データを、同期データに付加されたタイムスタンプを参照して確認すると、再生時刻となるタイムスタンプが付加された同期データをバッファ６４ａより読み出す。そして、バッファ６４ａより読み出して同期データを、この同期データに施された圧縮方式に対応したデータ伸長を施して、再生装置１０３ｃに送信する。又、パケット生成部６６は、再生装置１０３ｃ又は不図示のリモートコントロール又は不図示の入力部によって与えられる制御コードとなる非同期データをパケット化する。このようにパケット化される非同期データの各パケットには、送信元が受信装置１０１ｃであるとともに送信先が送信装置１００であることを示す情報などのヘッダ情報が付加される。
【００５３】
又、通信路状況判定部６０は、図７のように、有線送受信部６１ａ，６１ｂ及び無線送受信部６１ｃで受信したデータそれぞれに対する有線制御部６２ａ，６２ｂ及び無線制御部６２ｃでの復号結果に基づいて有線通信媒体５０ａ，５０ｂ及び無線通信媒体５１それぞれのエラーレートを測定するエラーレート測定部７１と、有線送受信部６１ａ，６１ｂ及び無線送受信部６１ｃにおける受信電力強度を測定する受信レベル測定部７２と、を備える。このエラーレート測定部７１及び受信レベル測定部７２はそれぞれ、送信装置１００の通信路状況判定部１におけるエラーレート測定部１１及び受信レベル測定部１２（図３）と同様の動作を行う。
【００５４】
又、データ変換部６３は、図８のように、送信するデータの確認を行う送信データ制御部８１と、有線制御部５ａ，５ｂ及び無線制御部５ｃで復号化されたデータが与えられてデータの識別を行う受信データ制御部８２と、接続された通信媒体及び主通信路及び副通信路として使用する通信媒体の確認を行う通信路認識部８３と、を備える。
【００５５】
このような構成となるデータ変換部６３では、送信データ制御部８１が、バッファ６４ｂより読み出された制御データ、正常に受信できなかったデータの再送要求を行うために受信データ制御部８２で生成された再送要求データ、及び、通信路状況判定部６０で測定された有線通信媒体５０ａ，５０ｂ及び無線通信媒体５１のエラーレート及び受信電力強度を示す通信路データをそれぞれ、非同期データとして送出する。
【００５６】
又、受信データ制御部８２において、有線制御部６２ａ，６２ｂ及び無線制御部６２ｃで復号化されたデータが与えられると、そのヘッダ情報に含まれる属性より同期データであるか非同期データであるか確認する。そして、確認したデータが同期データである場合は、この同期データをバッファ６４ａに送出し、確認したデータが非同期データである場合は、この非同期データを再生装置１０３に送出する。このとき、有線制御部６２ａ，６２ｂ及び無線制御部６２ｃにおける復号処理結果によりエラーなく正常に受信できたか否かが確認され、エラーが確認された場合、エラーが確認された同期データ及び非同期データの再送を要求するための再送要求データを生成し、送信データ制御部８１に送出する。
【００５７】
更に、この受信データ制御部８２において、有線制御部６２ａ，６２ｂ及び無線制御部６２ｃで復号化されたデータが同期データ又は非同期データのいずれであるかを確認することで、現在主通信路として使用される通信媒体及び副通信路として使用される通信媒体が確認される。そして、確認した主通信路として使用される通信媒体及び副通信路として使用される通信媒体を、通信路認識部８３に通知する。又、主通信路及び副通信路が切り換えられたことを示す非同期データが送信装置１００より送信される場合は、この非同期データを受信データ制御部８２で確認することで、通信路切換後に主通信路として使用される通信媒体及び副通信路として使用される通信媒体を通信路認識部８３に通知する。
【００５８】
又、通信路認識部８３では、有線送受信部６１ａ，６１ｂ及び無線送受信部６１ｃそれぞれについて、通信路状況判定部６０の受信レベル測定部７２で測定された有線通信媒体５０ａ，５０ｂ及び無線通信媒体５１それぞれの受信電力強度に基づいて、有線通信媒体５０ａ，５０ｂ及び無線通信媒体５１が接続されているか否かが確認される。即ち、有線送受信部６１ａ，６１ｂについては、有線通信媒体５０ａ，５０ｂが物理的に接続されているか否かが確認され、無線送受信部６１ｃについては、送信装置１００が無線送受信部４ｃを備えて無線通信媒体５１を介して通信接続可能であるか否かが確認される。
【００５９】
そして、このように接続が確認された通信媒体を送信装置１００に通知するための制御データとなる同期データを生成して、送信データ制御部８１に与える。この接続が確認された通信媒体を通知するための制御データとなる同期データは、受信装置１０１ｃに電源投入されたとき、又は、接続された通信媒体の変更が確認されたときに、生成されて送信装置１００に送信される。又、接続が確認された通信媒体それぞれに対して、受信データ制御部８２で確認された主通信路及び副通信路として用いられる通信媒体であることが記憶される。
【００６０】
尚、通信媒体のエラーレートや受信電力強度が測定可能でない場合、図６の構成から通信路状況判定部６０が省かれた構成となるとともに、データ変換部６３の通信路認識部８３において、直接、接続された通信媒体が確認される。又、受信装置１０１ｂ，１０１ｆのように接続される通信媒体が１種類の場合、主通信路及び副通信路の確認が受信データ制御部８２及び通信路認識部８３で行われない。又、上述では、受信装置１０１ｃを例に挙げて説明したので、有線送受信部６１ａ，６１ｂ及び無線送受信部６１ｃと有線制御部６２ａ，６２ｂ及び無線制御部６２ｃとを備えるが、受信装置１０１ａ，１０１ｂ，１０ｄ〜１０１ｆにおいては、備える送受信部及び制御部が、接続される通信媒体に応じて、有線送受信部６１ａ，６１ｂ及び無線送受信部６１ｃと有線制御部６２ａ，６２ｂ及び無線制御部６２ｃとからそれぞれ選択される。
【００６１】
（データ通信時の各種動作）
このように構成される送信装置１００及び受信装置１０１ａ〜１０１ｆそれぞれの間で行われるデータ通信時における各種動作について、図面を参照して以下に説明する。尚、以下の各動作は、受信装置１０１ａ〜１０１ｆそれぞれに対して行われる。
【００６２】
１．通信路登録動作
受信装置１０１ａ〜１０１ｆが電源投入されたとき、又は、新たに通信媒体が接続されたとき、受信装置１０１ａ〜１０１ｆの通信路認識部８３において、接続された通信媒体が確認されて、この接続された通信媒体を通知するための制御データ（接続通信媒体通知データ）による非同期データが、接続された通信媒体それぞれから送信される。即ち、有線通信媒体５０ａと接続されたことが確認された受信装置１０１ａ〜１０１ｄから有線通信媒体５０ａを介して有線通信媒体５０ａと接続したことを示す接続通信媒体通知データとなる非同期データが、有線通信媒体５０ｂと接続されたことが確認された受信装置１０１ｃ〜１０１ｅから有線通信媒体５０ｂを介して有線通信媒体５０ｂと接続したことを示す接続通信媒体通知データとなる非同期データが、無線通信媒体５１と接続されたことが確認された受信装置１０１ａ，１０１ｃ，１０１ｅ，１０１ｆから無線通信媒体５１を介してと接続したことを示す接続通信媒体通知データとなる非同期データが、それぞれ送信される。
【００６３】
このように、受信装置１０１ａ〜１０１ｆから送信される接続通信媒体通知データとなる非同期データを受信する送信装置１００の動作について、図９を参照して以下に説明する。受信装置１０１（受信装置１０１ａ〜１０１ｆに相当）からの接続通信媒体通知データとなる非同期データの受信を通信路切換部２の受信データ制御部２２において確認すると（ＳＴＥＰ１）、この非同期データのヘッダ情報より送信元となる受信装置１０１の確認を行う（ＳＴＥＰ２）。そして、この非同期データを受信した送受信部４（有線送受信部４ａ，４ｂ及び無線送受信部４ｃに相当）及び制御部５（有線制御部５ａ，５ｂ及び無線制御部５ｃに相当）を確認することで、受信装置１０１が接続した通信媒体を確認する（ＳＴＥＰ３）。
【００６４】
即ち、受信装置１０１ａ〜１０１ｄからの接続通信媒体通知データとなる非同期データを有線送受信部４ａ及び有線制御部５ａにより受信すると、受信装置１０１ａ〜１０１ｄが有線通信媒体５０ａと接続されたことを確認し、又、受信装置１０１ｃ〜１０１ｅからの接続通信媒体通知データとなる非同期データを有線送受信部４ｂ及び有線制御部５ｂにより受信すると、受信装置１０１ｃ〜１０１ｅが有線通信媒体５０ｂと接続されたことを確認し、又、受信装置１０１ａ，１０１ｃ，１０１ｅ，１０１ｆからの接続通信媒体通知データとなる非同期データを無線送受信部４ｃ及び無線制御部５ｃにより受信すると、受信装置１０１ａ，１０１ｃ，１０１ｅ，１０１ｆが無線通信媒体５１と接続されたことを確認する。
【００６５】
このように、ＳＴＥＰ２、ＳＴＥＰ３において、電源投入又は新たに通信媒体が接続された受信装置１０１と、この受信装置１０１が接続されている通信媒体とを確認すると、ＳＴＥＰ２で確認した受信装置１０１が使用可能な通信路として、ＳＴＥＰ３で確認した通信媒体による通信路を通信路切換部２の受信側通信路認識部２４内に登録する（ＳＴＥＰ４）。
【００６６】
よって、例えば、受信装置１０１ｃが有線通信媒体５０ａ及び無線通信媒体５１と接続して電源投入された場合、送信装置１００では、有線通信媒体５０ａ及び無線通信媒体５１を通じて送信される接続通信媒体通知データとなる非同期データを受信する。そして、受信側通信路認識部２４内において、受信装置１０１ｃが使用可能な通信路として、有線通信媒体５０ａ及び無線通信媒体５１による通信路を登録する。その後、受信装置１０１ｃが新たに有線通信媒体５０ｂと接続されると、送信装置１００では、有線通信媒体５０ｂを通じて送信される接続通信媒体通知データとなる非同期データを受信する。そして、受信側通信路認識部２４内において、受信装置１０１ｃが使用可能な通信路として、有線通信媒体５０ｂによる通信路を追加登録する。
【００６７】
そして、受信側通信路認識部２４での登録が行われると、通信路切換部２の通信路管理部２３において、副通信路の設定が既に行われているか否かが確認される（ＳＴＥＰ５）。そして、副通信路の設定が行われていない場合（Ｎｏ）、受信側通信路認識部２４に登録されている通信路が複数であるか否かが確認される（ＳＴＥＰ６）。このとき、複数の通信路が登録されている場合（Ｙｅｓ）、通信路管理部２３において、他の受信装置１０１に登録された主通信路及び副通信路を確認して、ＳＴＥＰ３で接続が確認された通信媒体の使用可能な空き帯域幅を測定して、空き帯域幅の広い最適な通信媒体を選択する（ＳＴＥＰ７）。尚、このように最適な通信媒体を選択する際、通信路状況判定部１で測定される各通信媒体のエラーレート及び受信電力強度などの通信路の状態をも考慮するものとしても構わない。
【００６８】
ＳＴＥＰ６において受信側通信路認識部２４に登録されている通信路が１つであるとき（Ｎｏ）、又は、ＳＴＥＰ７において最適な通信路が確認されたとき、確認された通信路を副通信路として設定する（ＳＴＥＰ８）。そして、副通信路に設定された通信路に使用される通信媒体を通知するための制御データ（通信路通知データ）を通信路管理部２３で生成して、設定された副通信路となる通信媒体を介して非同期データとして受信装置１０１に送信する（ＳＴＥＰ９）。よって、受信装置１０１は、この非同期データを受信すると、通信路通知データの内容を確認することで、副通信路として使用される通信媒体を認識する。又、ＳＴＥＰ５で副通信路の設定が既に行われていることが確認されたとき（Ｙｅｓ）、又は、ＳＴＥＰ９での通信路通知データの送信が行われたとき、動作を終了する。
【００６９】
尚、受信装置１０１が送信装置１００と既に通信接続されて主通信路及び副通信路が設定されている場合は、副通信路となる通信媒体を介して接続通信媒体通知データとなる非同期データが送信されるものとしても構わない。このとき、接続通信媒体通知データが、接続された通信媒体を示す情報を備え、送信装置１００が図９のＳＴＥＰ３の動作時に、この接続通信媒体通知データの内容を確認することで、受信装置１０１が接続した通信媒体を確認する。
【００７０】
２．送信要求受信時の主通信路決定動作
上述のようにして、受信装置１０１ａ〜１０１ｆは、送信装置１００と通信接続が成されるとともに、通信路として使用可能な通信媒体が登録された後、送信装置１００に対して同期データの送信要求を行う。このとき、受信装置１０１（受信装置１０１ａ〜１０１ｆに相当）では、例えば、再生装置１０３の入力部又は受信装置１０１の不図示の入力部又はリモートコントローラなどが操作されることで、ユーザが送信装置１００に対する送信要求指示が成される。この送信要求指示が確認されると、送信要求を行うための制御データ（送信要求データ）がパケット生成部６６に与えられた後、非同期データとして、送信装置１００より通知された副通信路とされる通信媒体を介して送信する。
【００７１】
このように、受信装置１０１から送信される送信要求データとなる非同期データを受信する送信装置１００の動作について、図１０を参照して以下に説明する。受信装置１０１からの送信要求データとなる非同期データの受信を通信路切換部２の受信データ制御部２２において確認すると（ＳＴＥＰ１０１）、この非同期データのヘッダ情報より送信元となる受信装置１０１の確認を行う（ＳＴＥＰ１０２）。そして、確認した受信装置１０１に対して受信側通信路認識部２４に登録された通信路を確認する（ＳＴＥＰ１０３）。
【００７２】
このように受信装置１０１が接続されている通信媒体の確認が行われると、ＳＴＥＰ１０３で確認された受信装置１０１が通信路として使用可能な通信媒体が複数であるか否かが確認される（ＳＴＥＰ１０４）。そして、複数の通信媒体に接続されて通信路として使用可能であることが確認されると（Ｙｅｓ）、確認された通信路として使用される各通信媒体における使用可能な空き帯域幅が比較される（ＳＴＥＰ１０５）。即ち、通信路管理部２３において、他の受信装置１０１に登録された主通信路及び副通信路を確認して、ＳＴＥＰ１０３で確認された通信媒体の使用可能な空き帯域幅を測定して、空き帯域幅の比較を行う。尚、このとき、通信路状況判定部１で測定される各通信媒体のエラーレート及び受信電力強度などの通信路の状態をも考慮するものとしても構わない。
【００７３】
そして、通信路管理部２３において、ＳＴＥＰ１０５で確認された各通信媒体の空き帯域幅より、その空き帯域幅が最も広くなる通信媒体による通信路を主通信路として設定した後（ＳＴＥＰ１０６）、空き帯域幅が次に広くなる通信媒体による通信路を副通信路として設定する（ＳＴＥＰ１０７）。即ち、例えば、受信装置１０１ｃが通信要求を行ったときに、有線通信媒体５０ａ，５０ｂ及び無線通信媒体５１が通信路として使用可能であることが受信側通信路認識部２４において確認されると、有線通信媒体５０ａ，５０ｂ及び無線通信媒体５１の空き帯域幅が確認される。このとき、その空き帯域幅の関係が、有線通信媒体５０ａ＞無線通信媒体５１＞有線通信媒体５０ｂとなる場合、通信路管理部２３において、受信装置１０１ｃの主通信路を有線通信媒体５０ａによる通信路と設定するとともに、受信装置１０１ｃの副通信路を無線通信媒体５１による通信路と設定する。
【００７４】
又、ＳＴＥＰ１０４において、通信路として使用可能な通信媒体が１つのみであることが確認されたとき（Ｎｏ）、通信路管理部２３において、確認した通信媒体を主通信路及び副通信路の両方に使用するように設定する（ＳＴＥＰ１０８）。即ち、通信接続された受信装置１０１ｂ，１０１ｆそれぞれが送信要求を行うとき、受信装置１０１ｂについては、有線通信媒体５０ａが主通信路及び副通信路として設定され、又、受信装置１０１ｆについては、無線通信媒体５１が主通信路及び副通信路として設定される。又、例えば、有線通信媒体５０ｂのみが通信接続された受信装置１０１ｃが送信要求が行ったときは、有線通信媒体５０ｂが主通信路及び副通信路として設定される。
【００７５】
そして、ＳＴＥＰ１０６及びＳＴＥＰ１０７において主通信路及び副通信路それぞれに対して使用する通信媒体を設定したとき、又は、ＳＴＥＰ１０８において主通信路及び副通信路の両方の通信路として使用する通信媒体を設定したとき、通信路管理部２３において、主通信路として使用される通信媒体の空き帯域が同期データを送信するのに十分な広さの帯域であるか否かを確認する（ＳＴＥＰ１０９）。このとき、主通信路として使用される通信媒体の空き帯域が十分に広いときは（Ｙｅｓ）、主通信路として設定された通信媒体と副通信路として設定された通信媒体を受信装置１０１に通知するための通信路通知データを送信する（ＳＴＥＰ１１０）。このとき、通信路管理部２３において通信路通知データを生成すると、非同期データとして副通信路として設定された通信媒体を介して受信装置１０１に送信すると、動作を終了する。
【００７６】
又、ＳＴＥＰ１０９において、主通信路として使用される通信媒体の空き帯域が同期データを送信するのに十分な広さでない場合（Ｎｏ）、通信路管理部２３において、主通信路として設定された通信媒体又は主通信路及び副通信路の両方として設定された通信媒体を副通信路に設定する（ＳＴＥＰ１１１）。そして、通信路管理部２３において、同期データの送信不可能であることを通知するための制御データ（拒否通知データ）を生成して、非同期データとしてＳＴＥＰ１１０で設定した副通信路となる通信媒体を介して受信装置１０１に送信し（ＳＴＥＰ１１２）、動作を終了する。
【００７７】
３．送信制御動作
上述のように、図１０のフローチャートによる主通信路決定動作が行われ、ＳＴＥＰ１１０において設定された主通信路及び副通信路を受信装置１０１に通知すると、送信装置１００は、その受信装置１０１に対して同期データの送信動作を行う。このとき、受信装置１０１では、通信路通知データを受信したことを受信データ制御部８２で確認すると、通信路認識部８３において主通信路として使用される通信媒体と副通信路として使用される通信媒体を認識する。この送信装置１００の送信制御動作について、図１１を参照して以下に説明する。
【００７８】
まず、通信路切換部２の送信データ制御部２１によって、データ識別部３のバッファ３６に受信装置１０１に送信するデータが格納されているか否かが確認される（ＳＴＥＰ２０１）。このとき、送信されるデータがバッファ３６内に確認されたとき（Ｙｅｓ）、送信データ制御部２１において、バッファ３６よりデータを読み出した後（ＳＴＥＰ２０２）、データのヘッダ情報より送信先となる受信装置１０１と属性とを確認する（ＳＴＥＰ２０３）。そして、ヘッダ情報より確認された属性より、バッファ３６より読み出したデータが同期データ及び非同期データのいずれであるかを確認する（ＳＴＥＰ２０４）。
【００７９】
このとき、バッファ３６より読み出したデータが同期データであることを確認すると（Ｙｅｓ）、送信データ制御部２１は、通信路管理部２３を参照することで、ＳＴＥＰ２０３で確認した送信先となる受信装置１０１の主通信路として使用する通信媒体を確認する（ＳＴＥＰ２０５）。そして、バッファ３６より読み出した同期データを、確認した主通信路として使用する通信媒体を介して、ＳＴＥＰ２０３で確認した送信先となる受信装置１０１に送信する（ＳＴＥＰ２０６）。
【００８０】
又、バッファ３６より読み出したデータが非同期データであることを確認すると（Ｎｏ）、送信データ制御部２１は、通信路管理部２３を参照することで、ＳＴＥＰ２０３で確認した送信先となる受信装置１０１の副通信路として使用する通信媒体を確認する（ＳＴＥＰ２０７）。そして、バッファ３６より読み出した同期データを、確認した副通信路として使用する通信媒体を介して、ＳＴＥＰ２０３で確認した送信先となる受信装置１０１に送信する（ＳＴＥＰ２０８）。
【００８１】
ＳＴＥＰ２０６及びＳＴＥＰ２０８における同期データ及び非同期データの送信動作が行われると、ＳＴＥＰ２０１に移行する。又、ＳＴＥＰ２０１において、バッファ３６に送信データがないことが確認されたとき、通信管理部２３において、通信接続可能な受信装置１０１全ての主通信路が開放された状態であるか否かが確認される（ＳＴＥＰ２０９）。このとき、少なくとも１つの受信装置１０１の主通信路が設定されているとき（Ｙｅｓ）、ＳＴＥＰ２０１に移行する。又、全ての受信装置１０１の主通信路の設定が行われていない開放された状態である場合（Ｎｏ）、送信制御動作を終了する。
【００８２】
４．通信路切換動作
上述のようにして送信装置１００が送信制御動作を行って、同期データ及び非同期データの受信装置１０１への送信動作を行っているとき、送信装置１００では、受信装置１０１に接続された通信路の状態に応じて主通信路及び副通信路の設定を行う通信路切換動作が、同期データの送信を行っている各受信装置１０１に対して行われる。この通信路切換動作について、図１２のフローチャートを参照して説明する。
【００８３】
まず、受信装置１０１が主通信路として利用していた通信媒体との通信接続を切断したことを示す制御データ（通信路切断通知データ）による非同期データを受信したか否かが確認される（ＳＴＥＰ３０１）。通信路切断通知データとなる非同期データを受信データ制御部２２で受信して、通信路管理部２３において、受信装置１０１での主通信路となる通信媒体の切断を確認すると（Ｙｅｓ）、切断が確認された通信媒体の受信側通信路認識部２４における切断が確認された受信装置１０１に対する登録を消去する（ＳＴＥＰ３０２）。このとき、受信した非同期データのヘッダ情報より受信装置１０１を確認するとともに、通信路切断通知データより切断された通信媒体が確認される。
【００８４】
このとき、ＳＴＥＰ３０２において切断された通信媒体の登録が消去されると、受信側通信路認識部２４に登録されている通信媒体によって通信路の設定が可能か否かが確認される（ＳＴＥＰ３０３）。そして、受信側通信路認識部２４に登録されている通信媒体がなく、主通信路及び副通信路の設定が不可能となったとき（Ｎｏ）、動作を終了する。このとき、この受信装置１０１に対する送信動作を停止するとともに通信接続を切断する。よって、例えば、受信装置１０１ｂの有線通信媒体５０ａが切断されたときや、受信装置１０１ｆの無線通信媒体５１が切断されたときには、通信路設定が不可能となるため、通信不可能となり、受信装置１０１ｂ，１０１ｆに対する送信動作を終了する。
【００８５】
又、ＳＴＥＰ３０３において、受信側通信路認識部２４に登録されている通信媒体が少なくとも１つ存在し、通信路の設定が可能であるとき（Ｙｅｓ）、図１０のフローチャートにおけるＳＴＥＰ１０１〜１０８と同様の操作を行うことで、主通信路と副通信路の設定を行う（ＳＴＥＰ３０４）。このとき、使用可能な通信路が１つとなっている場合、副通信路として使用している通信媒体を、主通信路及び副通信路の両方で使用するように、設定変更を行う。
【００８６】
このとき、例えば、有線通信媒体５０ａを主通信路とするとともに無線通信媒体５１を副通信路としている受信装置１０１ｃより、有線通信媒体５０ａを切断したことを示す通信路切断通知データとなる非同期データが無線通信媒体５１を介して送信されると、ＳＴＥＰ３０２で、受信側通信路認識部２４において、受信装置１０１ｃに対して登録されている有線通信媒体５０ａを消去する。そして、ＳＴＥＰ３０４において、通信路管理部２３によって、有線通信媒体５０ｂが受信装置１０１ｃに接続されていることが確認されるとともに、無線通信媒体５１の方が通信帯域が広いことが確認されると、無線通信媒体５１が主通信路に設定されるとともに、有線通信媒体５０ｂが副通信路に設定される。
【００８７】
又、例えば、有線通信媒体５０ｂを主通信路とするとともに無線通信媒体５１を副通信路としている受信装置１０１ｅより、有線通信媒体５０ｂを切断したことを示す通信路切断通知データとなる非同期データが無線通信媒体５１を介して送信されると、ＳＴＥＰ３０２で、受信側通信路認識部２４において、受信装置１０１ｅに対して登録されている有線通信媒体５０ｂを消去する。そして、ＳＴＥＰ３０４において、通信路管理部２３が、無線通信媒体５１を受信装置１０１ｅの主通信路及び副通信路の両方として使用するように設定する。受信装置１０１ａ，１０１ｃ，１０１ｄについても、接続されている２つの通信媒体の内の一方が切断されたとき、同様の動作を行う。
【００８８】
そして、主通信路として設定した通信媒体の現在使用している帯域幅が、同期データの送信を行うのに十分に広い帯域幅であるか否かを確認する（ＳＴＥＰ３０５）。このとき、使用可能な帯域幅が十分広い場合は（Ｙｅｓ）、主通信路として設定された通信媒体と副通信路として設定された通信媒体を受信装置１０１に通知するための通信路通知データを送信して（ＳＴＥＰ３０６）、ＳＴＥＰ３０１に移行する。又、使用可能な帯域幅が十分でないときは（Ｎｏ）、通信路管理部２３において、主通信路として設定された通信媒体を副通信路に設定した後（ＳＴＥＰ３０７）、拒否通知データを生成して、非同期データとして受信装置１０１に送信し（ＳＴＥＰ３０８）、動作を終了する。このとき、この受信装置１０１に対する送信動作を停止するとともに通信接続を切断する。
【００８９】
又、ＳＴＥＰ３０１において主通信路の切断が確認されなかったとき（Ｎｏ）、接続通信媒体通知データが受信装置１０１より送信されたか否かが確認される（ＳＴＥＰ３０９）。このとき、接続通信媒体通知データの受信が確認されると（Ｙｅｓ）、図９のフローチャートにおけるＳＴＥＰ２〜ＳＴＥＰ４と同様の動作を行うことで、まず、受信側通信路認識部２４において、確認された受信装置１０１に対して新たに接続された通信媒体を追加登録する（ＳＴＥＰ３１０）。
【００９０】
そして、ＳＴＥＰ３０９において接続通信媒体通知データの受信が確認されなかったとき（Ｎｏ）、又は、ＳＴＥＰ３１０おいて新たに接続された通信媒体の追加登録が行われたとき、現在主通信路として設定されている通信媒体の状態が、前回確認したときと比べて悪化したか否かが確認される（ＳＴＥＰ３１１）。即ち、通信路管理部２３において、通信路状況判定部１のエラーレート測定部１１及び受信レベル測定部１２それぞれで測定された主通信路として使用される通信媒体のエラーレート及び受信電力強度、及び、通信路状況判定部１の他局通信路測定結果確認部１３で確認された受信装置１０１で測定されたエラーレート及び受信電力強度が確認されて、主通信路として使用される通信媒体の通信状況が確認される。
【００９１】
そして、主通信路の通信路状態が悪化したことを通信路管理部２３で確認すると（Ｙｅｓ）、主通信路として設定される通信媒体以外の通信媒体の空き帯域幅が同期データを送信するのに十分に広いか否かが確認される（ＳＴＥＰ３１２）。このとき、他の通信媒体の空き帯域幅が十分に広いとき（Ｙｅｓ）、この通信媒体の通信路状態が、主通信路として使用されていた通信媒体の通信路状態よりも良好であるか否かが確認される（ＳＴＥＰ３１３）。このときも、送信装置１００及び受信装置１０１それぞれで測定されたエラーレート及び受信電力強度により、各通信媒体の通信路状態が確認される。そして、通信路状態が良好であることが確認されると（Ｙｅｓ）、ＳＴＥＰ３１２で確認された通信媒体を主通信路として使用するとともに、主通信路としていた通信媒体を副通信路として使用するように、設定する（ＳＴＥＰ３１４）。その後、ＳＴＥＰ３０６に移行して、受信装置１０１に通信路通知データを送信する。
【００９２】
即ち、例えば、有線通信媒体５０ａ，５０ｂ及び無線通信媒体５１と受信装置１０１ｃが接続されているとともに、有線通信媒体５０ａを主通信路とするとともに無線通信媒体５１を副通信路としているとき、通信状況判定部１で測定された有線通信媒体５０ａのエラーレート及び受信電力強度より、その通信路状態が悪化したことが通信路管理部２３で確認される。このとき、通信路状態が悪化したことが確認されたとき、有線通信媒体５０ｂ及び無線通信媒体５１のうちに空き帯域幅を確認し、同期データを送信するのに十分な帯域幅で有るか否かを確認する。
【００９３】
そして、無線通信媒体５１の空き帯域幅のみが十分に広い場合、無線通信媒体５１の通信状況が通信状況判定部１で測定されたエラーレート及び受信電力強度より確認され、有線通信媒体５０ａよりも良好であるか否かが確認される。このとき、無線通信媒体５１の通信状況が有線通信媒体５０ａよりも良好であることが確認されると、無線通信媒体５１を主通信路とするとともに、有線通信媒体５０ａを副通信路とする。
【００９４】
又、有線通信媒体５０ｂ及び無線通信媒体５１の空き帯域幅がともに十分に広い場合、有線通信媒体５０ｂ及び無線通信媒体５１の通信状況が通信状況判定部１で測定されたエラーレート及び受信電力強度より確認され、有線通信媒体５０ａよりも良好であるか否かが確認される。このとき、有線通信媒体５０ｂの通信状況が有線通信媒体５０ａよりも良好であることが確認されると、有線通信媒体５０ｂを主通信路とするとともに、有線通信媒体５０ａを副通信路とする。
【００９５】
又、ＳＴＥＰ３１２において他の通信媒体の空き帯域幅が同期データの送信に対して十分でないとき（Ｎｏ）、又は、ＳＴＥＰ３１３において通信路状態が良好な通信媒体が確認されなかったとき（Ｎｏ）、現在主通信路に設定されている通信媒体が無線通信媒体５１であるか否かが通信路管理部２３で確認する（ＳＴＥＰ３１５）。そして、無線通信媒体５１が主通信路に設定されているとき（Ｙｅｓ）、無線送受信部４ｃでの送信電力強度又は送信レートを変化させる（ＳＴＥＰ３１６）。即ち、送信する同期データの送信電力強度を大きくするか、又は、同期データの送信レートを低くすることによって、無線通信媒体５１の通信路状況を改善させる。
【００９６】
そして、ＳＴＥＰ３１５において無線通信媒体５１ｃが主通信路に設定されていないとき（Ｎｏ）、又は、ＳＴＥＰ３１６において送信電力強度及び送信レートの制御が行われたとき、同期データの圧縮率を高くして、送信するデータ量を減じる制御動作が行われる（ＳＴＥＰ３１７）。即ち、通信路管理部２３より圧縮率制御部３３に対して圧縮率を高くするための制御信号が与えられ、圧縮部２２における圧縮率が高くなるように、圧縮方式及び圧縮率の切換制御が成される。又、ＳＴＥＰ３１１において主通信路の通信媒体の通信状況の悪化が確認されなかったとき（Ｎｏ）、又は、ＳＴＥＰ３１７において圧縮率の切換が行われたとき、ＳＴＥＰ３０１に移行する。
【００９７】
このような通信路切換動作が行われているとき、主通信路の通信状況が良好である場合は、圧縮率を低くするとともに送信レートを大きくして、データ量の多い同期データを送信し、高画質な映像が再生されるようにする。このとき、更に送信電力強度を小さくして、主通信路を用いた送受信動作における消費電力を低減させる。又、主通信路の通信状況が悪化したときは、圧縮率を高くするとともに送信レートを小さくして、データ量の多い同期データを送信し、データ再生時の途切れや乱れをできる限り低減する。このとき、更に送信電力強度を大きくして、受信装置１０１での受信確率を高くすることで、データ再生時の途切れや乱れをできる限り低減させる。
【００９８】
５．通信路開放動作
上述のように主通信路及び副通信路が切り換えられて同期データ及び非同期データの送信動作が行われているときにおいて、同期データの送信が終了したときや受信装置１０１とのデータの送受信が所定時間以上行われなかったときに、この受信装置１０１への同期データの送信が終了したものとして主通信路の開放が行われる。この送信装置１００による通信路の開放動作について、図１３のフローチャートを参照して以下に説明する。この通信路の開放動作は、受信装置１０１ａ〜１０１ｆそれぞれに対して行われる。
【００９９】
このとき、まず、副通信路を通じて受信装置１０１からの非同期データを受信したか否かが受信データ制御部２２で確認される（ＳＴＥＰ４０１）。そして、非同期データの受信が確認されたとき（Ｙｅｓ）、同期データの送信終了を要求する制御データ（送信終了要求データ）であるか否かが受信データ制御部２２で確認される（ＳＴＥＰ４０２）。このとき、受信装置１０１より同期データの送信終了が要求されていることを確認すると（Ｙｅｓ）、受信装置１０１より受信した非同期データに、主通信路の設定の解除を示す制御データが含まれるか否かが確認される（ＳＴＥＰ４０３）。
【０１００】
又、ＳＴＥＰ４０１において、非同期データの受信が確認されなかったとき（Ｎｏ）、送信データ制御部２１において、受信装置１０１への同期データの送信が終了したか否かが確認される（ＳＴＥＰ４０４）。そして、このＳＴＥＰ４０４において同期データの送信が終了したことを確認したとき（Ｙｅｓ）、又は、ＳＴＥＰ４０３において受信装置１０１より主通信路の設定解除の要求がないとき（Ｎｏ）、同期データの送信動作が停止してから所定時間が経過したか否かが確認される（ＳＴＥＰ４０５）。
【０１０１】
又、ＳＴＥＰ４０３において受信装置１０１によって主通信路の設定解除が要求されたとき（Ｙｅｓ）、又は、ＳＴＥＰ４０５において同期データの送信動作が停止してから所定時間が経過したことを通信路管理部２３で確認したとき（Ｙｅｓ）、この受信装置１０１が接続されている通信媒体の１つに対する主通信路の設定を通信管理部２３において解除する（ＳＴＥＰ４０６）。即ち、この受信装置１０１においては通信管理部２３において副通信路の設定のみが行われる状態となる。
【０１０２】
又、ＳＴＥＰ４０２において送信終了要求データの受信が確認されなかったとき（Ｎｏ）、又は、ＳＴＥＰ４０４においてバッファ３４に送信する同期データが格納されていることが確認されるとき（Ｎｏ）、又は、ＳＴＥＰ４０５において同期データの送信動作が停止してから所定時間が経過していないとき、ＳＴＥＰ４０１に移行し、上述の動作が繰り返し行われる。
【０１０３】
尚、本実施形態において、ＡＶソースが送信装置と異なるものとするとともに、再生装置が受信装置と異なるものとしたが、送信装置がＡＶソースの機能を備えるものとしても構わないし、受信装置が再生装置の機能を備えるものとしても構わない。又、非同期データには、受信装置が正常に受信したことを示すＡＣＫ信号が含まれるものとしても構わない。又、受信装置が再生装置に対して圧縮されたデータを伸長することなくそのまま出力するものとしても構わないし、圧縮されたデータを自機器内に格納するものとしても構わない。
【０１０４】
更に、使用する通信媒体については、上述の例（図１）に限定されるものでなく、有線通信媒体及び無線通信媒体を併せて２種類以上の通信媒体が用いられるもので有ればよい。このとき、有線通信媒体のみを２種類以上使用されるものとしても構わないし、無線通信媒体のみを２種類以上使用されるものとしても構わないし、有線通信媒体及び無線通信媒体を混在して２種類以上使用されるものとしても構わない。
【図面の簡単な説明】
【０１０５】
【図１】は、本実施形態における通信システムの構成を示すブロック図である。
【図２】は、図１の通信システムにおける送信装置の内部構成を示すブロック図である。
【図３】は、図２の送信装置における通信状況判定部の内部構成を示すブロック図である。
【図４】は、図２の送信装置における通信路切換部の内部構成を示すブロック図である。
【図５】は、図２の送信装置におけるデータ識別部の内部構成を示すブロック図である。
【図６】は、図１の通信システムにおける受信装置の１つの内部構成を示すブロック図である。
【図７】は、図６の受信装置における通信状況判定部の内部構成を示すブロック図である。
【図８】は、図６の受信装置におけるデータ変換部の内部構成を示すブロック図である。
【図９】は、送信装置の通信路登録動作を示すフローチャートである。
【図１０】は、送信装置の主通信路決定動作を示すフローチャートである。
【図１１】は、送信装置の送信制御動作を示すフローチャートである。
【図１２】は、送信装置の通信路切換動作を示すフローチャートである。
【図１３】は、送信装置の通信路開放動作を示すフローチャートである。
【符号の説明】
【０１０６】
１    通信路状況判定部
２    通信路切換部
３    データ識別部
４ａ，４ｂ    有線送受信部
４ｃ    無線送受信部
５ａ，５ｂ    有線制御部
５ｃ    無線制御部
６０    通信路状況判定部
５０ａ，５０ｂ    有線通信媒体
５１    無線通信媒体
６１ａ，６１ｂ    有線送受信部
６１ｃ    無線送受信部
６２ａ，６２ｂ    有線制御部
６２ｃ    無線制御部
６３    データ変換部
６４ａ，６４ｂ    バッファ
６５    伸長部
６６    パケット生成部
１００    送信装置
１０１ａ〜１０１ｆ    受信装置
【図１】
2005184567.tif 000003
【図２】
2005184567.tif 000004
【図３】
2005184567.tif 000005
【図４】
2005184567.tif 000006
【図５】
2005184567.tif 000007
【図６】
2005184567.tif 000008
【図７】
2005184567.tif 000009
【図８】
2005184567.tif 000010
【図９】
2005184567.tif 000011
【図１０】
2005184567.tif 000012
【図１１】
2005184567.tif 000013
【図１２】
2005184567.tif 000014
【図１３】
2005184567.tif 000015